(57)【特許請求の範囲】
【請求項１】
複数の第１の冊子基材からなる第１の冊子と、
複数の第２の冊子基材からなる第２の冊子と、
第１の折れ線部をはさんで第１の基材部及び第２の基材部を有し、第２の折れ線部をはさんで前記第２の基材部と連接する第３の基材部を有し、前記第３の基材部の片面に封緘接着部を設けた封緘シート基材とを備え、
前記第１の基材部及び前記第２の基材部に前記第１の冊子及び前記第２の冊子を固定し、前記第１の冊子及び前記第２の冊子を向かい合うようにして前記封緘シート基材を前記第１の折れ線部で折り曲げ、前記第３の基材部を前記第２の折れ線部で折り曲げ、前記第１の基材部と貼り合わせること、
を特徴とする冊子送付物。
【請求項２】
請求項１に記載の冊子送付物において、
前記第１の基材部は、前記第１の冊子と綴じ、前記第１の冊子の表紙を兼ねること、
を特徴とする冊子送付物。
【請求項３】
請求項１又は請求項２に記載の冊子送付物において、
前記第１の折れ線部又は前記第２の折れ線部の少なくとも一方に分離線を設けること、
を特徴とする冊子送付物。
【請求項４】
請求項１から請求項３までのいずれか１項に記載の冊子送付物において、
前記第３の基材部の前記封緘接着部及び前記第２の折れ線部の間に開封線を備えること、
を特徴とする冊子送付物。
【発明の詳細な説明】
【技術分野】
【０００１】
本発明は、カタログなどの冊子を封緘し、ダイレクトメールなどの配送に好適に利用できる冊子送付物に関するものである。
【背景技術】
【０００２】
昨今、カタログやパンフレットは、顧客の嗜好の多様化に伴い、従来の分厚い総合版からカテゴリ（分野）別に薄く分冊又は別冊化され、顧客の嗜好に応じて選択し、組み合わせてダイレクトメール（ＤＭ）として送付される場合が増えている。
このＤＭを送付するときは、薄いカタログであるならば、折り畳んで郵便定形の封筒に入れて封緘する形態が取られるが、厚いカタログのように折り畳めない場合は、定形外の封筒にカタログを封入する形態、又は、フィルム（ビニール袋）に包むことで熱や接着剤により封緘する形態が取られている。
しかし、定形サイズに入るように冊子を折り畳んで送付する形態では、受け取った顧客が折り目を伸ばすなどの作業が必要となり、読まずに捨てられるケースが少なくない。冊子を折り畳まずに送付する形態では、環境への意識の高まりから、開封後に廃棄される包装などのゴミの分別を不要とするような、リサイクルの効率を高めた送付物の形態の要望が強くなっているので、フィルムラッピングの使用は避ける傾向がある。また、定形外の封筒の使用においては、別途封筒の製造が必要となるので、手間とコストがかかるなどの問題点がある。
上述したような問題点を回避するために、冊子の小口部を簡易に封緘して送付する冊子送付物が提案、実施されている（例えば、特許文献１、特許文献２）。しかし、特許文献１及び特許文献２に記載の冊子送付物は、１冊の冊子の送付に限られており、上述したような複数に分冊又は別冊化されたカタログの送付には用いることができない。
【特許文献１】特開平１１−１５１８７６号公報
【特許文献２】実開平０６−０７４３６５号公報
【発明の開示】
【発明が解決しようとする課題】
【０００３】
本発明の課題は、冊子を折り畳むことなく、２冊の冊子の小口部を容易に封緘でき、また、開封後に不要となる封緘シート基材のリサイクルの分別を不要とした冊子送付物を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、複数の第１の冊子基材からなる第１の冊子（３０）と、複数の第２の冊子基材からなる第２の冊子（４０）と、第１の折れ線部（２４）をはさんで第１の基材部（２１）及び第２の基材部（２２）を有し、第２の折れ線部（２５）をはさんで前記第２の基材部（２２）と連接する第３の基材部（２３）を有し、前記第３の基材部（２３）の片面に封緘接着部（２６）を設けた封緘シート基材（２０）とを備え、前記第１の基材部（２１）及び前記第２の基材部（２２）に前記第１の冊子（３０）及び前記第２の冊子（４０）を固定し、前記第１の冊子（３０）及び前記第２の冊子（４０）を向かい合うようにして前記封緘シート基材（２０）を前記第１の折れ線部（２４）で折り曲げ、前記第３の基材部（２３）を前記第２の折れ線部（２５）で折り曲げ、前記第１の基材部（２１）と貼り合わせることを特徴とする冊子送付物（１０）である。
【０００５】
請求項２の発明は、請求項１に記載の冊子送付物（１０）において、前記第１の基材部（２１）は、前記第１の冊子（３０）と綴じ、前記第１の冊子（３０）の表紙を兼ねることを特徴とする冊子送付物（１０）である。
【０００６】
請求項３の発明は、請求項１又は請求項２に記載の冊子送付物（１０）において、前記第１の折れ線部（２４）又は前記第２の折れ線部（２５）の少なくとも一方に分離線（２４）を設けることを特徴とする冊子送付物（１０）である。
【０００７】
請求項４の発明は、請求項１から請求項３までのいずれか１項に記載の冊子送付物（１０）において、前記第３の基材部（２３）の前記封緘接着部（２６）及び前記第２の折れ線部（２５）の間に開封線（２８）を備えることを特徴とする冊子送付物（１０）である。
【発明の効果】
【０００８】
以上説明したように、本発明によれば、以下のような効果がある。
（１）封緘シート基材に第１の冊子及び第２の冊子を固定し、内包するので、２冊の冊子を折り畳まず、同時に送付することができる。
（２）封緘シート基材に第１の冊子及び第２の冊子を固定し、内包するので、冊子の表紙が擦れて傷つくのを防止することができる。
（３）第１の基材部が第１の冊子と綴じられ、第１の冊子の表紙となるので、封緘シート基材を有効に活用することができ、また、第１の冊子の固定の冊子接着部が不要となり資源を節約することができる。
（４）第１及び第２の折れ線部が分離線であるので、第１の冊子及び第２の冊子を個別に保管することができる。
（５）第３の基材部に開封線があるので、封緘接着部を剥がすことなく冊子送付物を開封することができる。
【発明を実施するための最良の形態】
【０００９】
本発明は、冊子を折り畳むことなく、２冊の冊子の小口部を容易に封緘でき、また、開封後に不要となる封緘シート基材のリサイクルの分別を不要とした冊子送付物を提供するという目的を、第１の冊子及び第２の冊子を固定した封緘シート基材を、第１の折れ線部及び第２の折れ線部で折り曲げ、第１の基材部及び第３の基材部を封緘接着部で貼り合わせることによって実現する。
【実施例１】
【００１０】
以下、図面等を参照して、本発明の実施例をあげて、さらに詳しく説明する。
図１は、本発明による実施例１の冊子送付物の詳細を示す図である。なお、図１（Ｂ）は、図１（Ａ）のｉＢ−ｉＢ断面の模式図であり、図１（Ｃ）は、冊子送付物の封緘時の模式図である。
冊子送付物１０は、図１（Ａ）に示すように、封緘シート基材２０、第１の冊子３０及び第２の冊子４０で構成している。
封緘シート基材２０は、第１の基材部２１、第２の基材部２２及び第３の基材部２３から構成され、各基材部の間に第１の分離線２４及び第２の分離線２５を備えている封緘用の厚紙である。
第１の基材部２１及び第２の基材部２２は、片面に剥離不可能な冊子接着部２７を備えている。
第３の基材部２３は、冊子接着部２７と同じ面に、剥離可能であるが再貼付不可能な封緘接着部２６を備えている。
第１の分離線２４及び第２の分離線２５は、封緘シート基材２０の折り曲げ及び切り取り用の線であり、例えば、ミシン目である。
第１の冊子３０及び第２の冊子４０は、複数の宣伝紙及び表紙を糸綴したカタログである。
【００１１】
次に、実施例１についての使用方法を説明する。
配送元は、顧客に送る第１の冊子３０及び第２の冊子４０を、図１（Ｂ）のように、第１の基材部２１及び第２の基材部２２に冊子接着部２７で剥離不可能に貼り付ける。次に、第１の冊子３０及び第２の冊子４０が向かい合うように第１の分離線２４で封緘シート基材２０を折り曲げる。続いて、第３の基材部２３を第２の分離線２５で折り曲げ、第１の基材部２１と封緘接着部２６により剥離可能であるが再貼付不可能に貼り合わせる。図１（Ｃ）のようになった冊子送付物１０は、２冊の冊子を封緘した状態で顧客へ配達される。
【００１２】
顧客は、冊子送付物１０の封緘接着部２６を剥がすことで開封し、第１の冊子３０及び第２の冊子４０を見ることができる。必要に応じて、第１の分離線２４及び第２の分離線２５で封緘シート基材２０を分離して、第１の冊子３０及び第２の冊子４０を個別で保管することができる。
【００１３】
以上より、実施例１の冊子送付物１０には以下のような効果がある。
（１）封緘シート基材２０に第１の冊子３０及び第２の冊子４０を固定し、内包するので、２冊の冊子を折り畳まず、同時に送付することができる。
（２）封緘シート基材２０に第１の冊子３０及び第２の冊子４０を固定し、内包するので、各冊子の表紙が擦れて傷つくのを防止することができる。
（３）第１の基材部２１、第２の基材部２２及び第３の基材部２３は、第１の分離線２４及び第２の分離線２５で分離できるので、第１の冊子及び第２の冊子を個別に保管することができる。
（４）開封後に不要となる第３の基材部２３は、厚紙で構成されているので、リサイクルの分別を必要とせず一般廃棄物として処理することができる。
【実施例２】
【００１４】
図２は、本発明による実施例２の冊子送付物の詳細を示す図である。なお、図２（Ｂ）は、図２（Ａ）のｉｉＢ−ｉｉＢ断面の模式図であり、図２（Ｃ），（Ｄ）は、冊子送付物の封緘途中及び封緘後の模式図である。
前述した実施例１と同様な機能を果たす部分には、同一の符号又は末尾に統一した符号を付して、重複する説明や図面を適宜省略する。
実施例２の冊子送付物１０−２は、図２に示すように、実施例１の冊子送付物１０と以下の点が異なる。
（１）第１の基材部２１は、封緘の役割を兼ねた第１の冊子３０の表紙である。
（２）第１の冊子３０は、表紙を含まない複数枚の宣伝紙である。
【００１５】
次に、実施例２についての使用方法を説明する。
配送元は、図１（Ｂ）のように、第１の冊子３０を綴じ部３１で第１の基材部２１と糸綴し、第２の冊子４０を第２の基材部２２と冊子接着部２７で剥離不可能に貼り付ける。次に、図２（Ｃ）のように、第１の冊子３０及び第２の冊子４０が向かい合うように第１の分離線２４で折り曲げ、続いて、第３の基材部２３を第２の分離線２５で折り曲げ、第１の基材部２１と封緘接着部２６により剥離可能であるが再貼付不可能に貼り合わせる。図２（Ｄ）のようになった冊子送付物１０−２は、２冊の冊子を封緘した状態で顧客へ配達される。
【００１６】
顧客は、冊子送付物１０−２を、封緘接着部２６を剥がして開封し、第１の冊子３０及び第２の冊子４０を見ることができる。必要に応じて、第１の分離線２４及び第２の分離線２５で封緘シート基材２０を分離して、第１の冊子３０及び第２の冊子４０を個別で保管することができる。
【００１７】
以上より、実施例２の冊子送付物１０−２には、前述した実施例１の効果に加え、第１の基材部２１が第１の冊子３０と綴じられ、第１の冊子３０の表紙となるので、開封後に廃棄される封緘シート基材２０を有効に活用することができ、また、第１の冊子３０の固定の冊子接着部２７が不要となり資源を節約することができるという効果がある。
【００１８】
（変形例）
以上説明した実施例に限定されることなく、種々の変形や変更が可能であって、それらも本発明の均等の範囲内である。
（１）実施例１及び実施例２では、封緘接着部２６に剥離可能な接着剤を使用したが、剥離不可能な接着剤を使用し、図３（Ａ）に示すように、第３の基材部２３に開封線２８を設けてもよい。剥離不可能な接着剤を用いることにより、冊子送付物の封緘が剥離可能な接着剤よりも強力になるので、配達中に開封されることをなくすことができる。
また、前述の開封線２８は、図３（Ｂ）に示すように、第２の分離線２５と併用してもよい。開封線２８は、例えば、ファスナー状のミシン目である。
（２）実施例１及び実施例２では、冊子接着部２７に剥離不可能な接着剤を使用したが、剥離可能な接着剤を使用してもよい。剥離可能な接着剤を用いることで、冊子（カタログ）の表紙に接着剤の跡が残らないので、商品などのブランドイメージを表す顔に相当するカタログの表紙をより良く見せることができ、顧客のカタログに対する印象を良くすることができる。
また、冊子接着部２７の接着面は、接着剤の接着力に応じて増減させてもよい。
（３）実施例１及び実施例２の冊子送付物は、各冊子の小口部同士又は背部同士が隣り合うように配置されていたが、図４に示すように、各冊子の小口部及び背部が隣り合う形態で接着してもよい。例えば、冊子の綴じ位置に関係なく、表表紙が接着面とならないように２冊の冊子を封緘シート基材２０に貼り付けることができる。
（４）実施例１及び実施例２の冊子送付物は、各冊子の小口部同士又は背部同士が隣り合うように配置されていたが、図５（Ａ）に示すように、各冊子の天部及び地部が隣り合うように構成してもよい。また、図５（Ｂ）に示すように、冊子の天又は地部、及び、小口又は背部が隣り合っても可能である。例えば、縦長及び横長の冊子を同時に送付したいときなどに適用することができる。
（５）実施例１及び実施例２の第１の冊子３０及び第２の冊子４０は、糸綴により綴じられているが、針金による中綴や糊綴などでも可能である。
【図面の簡単な説明】
【００１９】
【図１】本発明による実施例１の冊子送付物を示す図である。
【図２】本発明による実施例２の冊子送付物を示す図である。
【図３】本発明による実施例１及び実施例２の変形例を示す図である。
【図４】本発明による実施例１及び実施例２の変形例を示す図である。
【図５】本発明による実施例１及び実施例２の変形例を示す図である。
【符号の説明】
【００２０】
１０  冊子送付物
２０  封緘シート基材
２１  第１の基材部
２２  第２の基材部
２３  第３の基材部
２４  第１の分離線
２５  第２の分離線
２６  封緘接着部
２７  冊子接着部
３０  第１の冊子
４０  第２の冊子
【図１】
0004684898.tif 000002
【図２】
0004684898.tif 000003
【図３】
0004684898.tif 000004
【図４】
0004684898.tif 000005
【図５】
0004684898.tif 000006